(57)【特許請求の範囲】
【請求項１】
接続箱本体の外壁に凹溝が設けられ、筒状の電線カバーに電線が下向きに挿通された状態で該電線カバーの下部にテープ巻きされており、該電線カバーが該凹溝にスライド装着されている電気接続箱の電線カバー構造において、前記電線カバーの背壁に止水用の段部が設けられ、該背壁が前記凹溝の奥壁に接触ないし近接し、該電線から該奥壁に沿う下からの水の浸入が該段部で阻止されていることを特徴とする電気接続箱の電線カバー防水構造。
【請求項２】
接続箱本体の外壁に凹溝が設けられ、筒状の電線カバーに電線が下向きに挿通された状態で該電線カバーの下部にテープ巻きされており、該電線カバーが該凹溝にスライド装着されている電気接続箱の電線カバー構造において、前記電線カバーの背壁が前記凹溝の奥壁に接触ないし近接し、該奥壁に止水用の段部が設けられ、該電線から該奥壁に沿う下からの水の浸入が該段部で阻止されていることを特徴とする電気接続箱の電線カバー防水構造。
【請求項３】
前記段部が断面湾曲状の前記背壁の下端と該背壁の幅方向両側とに設けられ、該下端側の段部が前記電線カバーの下部であるテープ巻き部に続いていることを特徴とする請求項１記載の電気接続箱の電線カバー防水構造。
【請求項４】
前記凹溝の上端縁に当接する止水用の鍔部が前記電線カバーの上端に設けられたことを特徴とする請求項１〜３の何れかに記載の電気接続箱の電線カバー防水構造。
【請求項５】
前記鍔部の下側で前記背壁に、前記奥壁側へ係合する係止突起が設けられたことを特徴とする請求項４記載の電気接続箱の電線カバー防水構造。
【請求項６】
前記電線カバーが表側の分割カバーと裏側の分割カバーとを合体して構成され、該裏側の分割カバーに前記段部が設けられていることを特徴とする請求項１又は３記載の電気接続箱の電線カバー防水構造。
【請求項７】
前記電線カバーが表側の分割カバーと裏側の分割カバーとを合体して構成され、該裏側の分割カバーに前記鍔部が設けられていることを特徴とする請求項４記載の電気接続箱の電線カバー防水構造。
【請求項８】
前記電線カバーが表側の分割カバーと裏側の分割カバーとを合体して構成され、該裏側の分割カバーに前記係止突起が設けられていることを特徴とする請求項５記載の電気接続箱の電線カバー防水構造。
【発明の詳細な説明】
【技術分野】
【０００１】
本発明は、電気接続箱から下向きに導出させた電線に沿って上向きに水が浸入するのを電線カバーで防止した電気接続箱の電線カバー防水構造に関するものである。
【背景技術】
【０００２】
従来、電気接続箱の内側の接続部に接続する等した電線を外部に導出させると共に、電線を電線カバーで覆って外部との干渉等から保護したり防水するために種々の電気接続箱の電線カバー構造が提案されている。
【０００３】
例えば、特許文献１（図示せず）には、電気接続箱本体の側壁に設けた切欠部内に一本の大径な端子付き電線を上から下に挿通し、上側の端子を電気接続箱内の端子取付部にボルト締めで接続し、切欠部の両側のスライド溝にサイドカバー（電線カバー）をスライド係合させ、サイドカバーの仕切壁に電線を結束バンドで垂直に配索固定したことが記載されている。
【０００４】
また、特許文献２（図示せず）には、電気接続箱のケースの側壁に設けた凹部に一本の大径な端子付き電線を垂直に挿通し、電線の外周には防水用の弾性シートを装着し、端子をケース内の雄ねじ端子部にナットで締付接続し、凹部に電線カバーをスライド式に装着して、弾性シートで電線カバー内を防水したことが記載されている。
【０００５】
また、特許文献３（図示せず）には、電気接続箱本体に側部開口を設け、複数本の細径な電線をバンドでサイドカバー（電線カバー）に結束し、サイドカバーを側部開口にスライド係合させ、複数本の電線をサイドカバーの下部から導出させ、側部開口内には防水壁を斜め下向きに設けて、下方からの水の浸入を防止したことが記載されている。
【先行技術文献】
【特許文献】
【０００６】
【特許文献１】特開２００６−３２０１３１号公報（図１，図２）
【特許文献２】特開２０１０−４１８０８号公報（図８，図１１，図１２）
【特許文献３】特開２０１０−９３８８２号公報（図１，図３）
【発明の概要】
【発明が解決しようとする課題】
【０００７】
しかしながら、上記従来の特許文献１の電気接続箱の電線カバー構造にあっては、電線に沿って下方から電気接続箱内に跳ね上げ水や高圧洗浄水が浸入し兼ねないという懸念があった。また、特許文献２の電気接続箱の電線カバー防水構造にあっては、防水用の弾性シートを用いるために、部品点数が増えてコスト高になるという懸念があった。また、特許文献３の電気接続箱の電線カバー防水構造にあっては、接続箱本体に防水壁を設け、防水壁の突出先端を電線の外周面に接触させるために、電線の本数が少ない場合に、防水性が低下し兼ねないという懸念があった。
【０００８】
例えば、図１０（ａ）（ｂ）に従来の電気接続箱の電線カバー構造の他の形態を示す如く、略樋状の電線カバー（サイドカバー）６１に沿って複数本の電線６２を挿通させて電線カバー６１の下部にテープ巻き６３で固定し、電線６２を内側として電線カバー６１を電気接続箱本体６４にスライド係合させた状態で、電気接続箱を自動車に搭載した際に、電線６２の本数が少ない場合に、跳ね上げ水６６や高圧洗浄水６６等が電線６２を伝わって電線６２と電気接続箱本体６４との間の隙間６５を通って下から上に電気接続箱本体６４内に浸入し兼ねないという懸念があった。
【０００９】
本発明は、上記した点に鑑み、電線の本数が少ない場合（電線と接続箱本体との間に隔たりがある場合）でも、簡単で低コストな構成で、水が電線を下から上に伝わって電気接続箱内に浸入することを確実に防止することのできる電気接続箱の電線カバー防水構造を提供することを目的とする。
【課題を解決するための手段】
【００１０】
上記目的を達成するために、本発明の請求項１に係る電気接続箱の電線カバー防水構造は、接続箱本体の外壁に凹溝が設けられ、筒状の電線カバーに電線が下向きに挿通された状態で該電線カバーの下部にテープ巻きされており、該電線カバーが該凹溝にスライド装着されている電気接続箱の電線カバー構造において、前記電線カバーの背壁に止水用の段部が設けられ、該背壁が前記凹溝の奥壁に接触ないし近接し、該電線から該奥壁に沿う下からの水の浸入が該段部で阻止されていることを特徴とする。
【００１１】
上記構成により、電線が筒状の電線カバー内に挿通（貫通）され、電線カバーの背壁面が接続箱本体の凹溝の奥壁に接触ないし近接し、電線は凹溝の奥壁に接触しないので、電線の本数が少なくて電線と接続箱本体との間に隔たりがある場合でも、防水性に影響を及ぼすことがない。そして、電線カバーの段部の外面（下面）が凹溝の奥壁に交差するように位置し、電線から電線カバーの背壁に沿って伝わる下からの水が段部の外面（下面）に当たって停止しつつ落下し、電線カバー上部へ向かう水の浸入が阻止ないし抑止される。
【００１２】
請求項２に係る電気接続箱の電線カバー防水構造は、接続箱本体の外壁に凹溝が設けられ、筒状の電線カバーに電線が下向きに挿通された状態で該電線カバーの下部にテープ巻きされており、該電線カバーが該凹溝にスライド装着されている電気接続箱の電線カバー構造において、前記電線カバーの背壁が前記凹溝の奥壁に接触ないし近接し、該奥壁に止水用の段部が設けられ、該電線から該奥壁に沿う下からの水の浸入が該段部で阻止されていることを特徴とする。
【００１３】
上記構成により、電線が筒状の電線カバー内に挿通（貫通）され、電線カバーの背壁面が接続箱本体の凹溝の奥壁に接触ないし近接し、電線は凹溝の奥壁に接触しないので、電線の本数が少なくて電線と接続箱本体との間に隔たりがある場合でも、防水性に影響を及ぼすことがない。そして、凹溝の奥壁の段部の外面（下面）が電線カバーの背壁に交差するように位置し、電線から電線カバーの背壁に沿って伝わる下からの水が段部の外面（下面）に当たって停止しつつ落下し、電線カバー上部へ向かう水の浸入が阻止ないし抑止される。
【００１４】
請求項３に係る電気接続箱の電線カバー防水構造は、請求項１記載の電気接続箱の電線カバー防水構造において、前記段部が断面湾曲状の前記背壁の下端と該背壁の幅方向両側とに設けられ、該下端側の段部が前記電線カバーの下部であるテープ巻き部に続いていることを特徴とする。
【００１５】
上記構成により、断面湾曲状の背壁の下端の段部と背壁の左右両側の段部とで止水が確実に行われる。両側の段部は中央の湾曲状の段部の左右両側からの水の浸入を阻止する。両側の段部は上下二段に設けることが好ましく、それにより止水性が一層向上する。
【００１６】
請求項４に係る電気接続箱の電線カバー防水構造は、請求項１〜３の何れかに記載の電気接続箱の電線カバー防水構造において、前記凹溝の上端縁に当接する止水用の鍔部が前記電線カバーの上端に設けられたことを特徴とする。
【００１７】
上記構成により、段部を上向きに通過してしまった水が鍔部の下面に当たって停止しつつ落下して、電気接続箱内への水の浸入が一層確実に防止される。
【００１８】
請求項５に係る電気接続箱の電線カバー防水構造は、請求項４記載の電気接続箱の電線カバー防水構造において、前記鍔部の下側で前記背壁に、前記奥壁側へ係合する係止突起が設けられたことを特徴とする。
【００１９】
上記構成により、段部を上向きに通過してしまった水が係止突起の下面に当たって停止しつつ落下して、電気接続箱内への水の浸入が一層確実に抑止される。
【００２０】
請求項６に係る電気接続箱の電線カバー防水構造は、請求項１又は３記載の電気接続箱の電線カバー防水構造において、前記電線カバーが表側の分割カバーと裏側の分割カバーとを合体して構成され、該裏側の分割カバーに前記段部が設けられていることを特徴とする。
請求項７に係る電気接続箱の電線カバー防水構造は、請求項４記載の電気接続箱の電線カバー防水構造において、前記電線カバーが表側の分割カバーと裏側の分割カバーとを合体して構成され、該裏側の分割カバーに前記鍔部が設けられていることを特徴とする。
請求項８に係る電気接続箱の電線カバー防水構造は、請求項５記載の電気接続箱の電線カバー防水構造において、前記電線カバーが表側の分割カバーと裏側の分割カバーとを合体して構成され、該裏側の分割カバーに前記係止突起が設けられていることを特徴とする。
【００２１】
上記構成により、裏側の分割カバーに段部や鍔部や係止突起が一括して一体樹脂成型される。そして、両分割カバーを分離した（開いた）状態で電線が容易に挿通され、両分割カバーを合体して筒状の電線カバーが構成される。両分割カバーは係止手段で相互に固定される。
【発明の効果】
【００２２】
請求項１記載の発明によれば、電線カバーの段部で電線に沿う下からの水を止めて電気接続箱内への水の浸入を防ぐことができる。電線カバーの段部は例えば一体樹脂成型で容易に形成することができ、防水パッキン等の防水手段を不要として電気接続箱を低コスト化することができる。また、電線の本数が少なくても、電線を凹溝の奥壁に直接接触させないので、防水性に影響を及ぼすことがない。
【００２３】
請求項２記載の発明によれば、接続箱本体の凹溝の奥壁の段部で電線に沿う下からの水を止めて電気接続箱内への水の浸入を防ぐことができる。接続箱本体の段部は例えば一体樹脂成型で容易に形成することができ、防水パッキン等の防水手段を不要として電気接続箱を低コスト化することができる。また、電線の本数が少なくても、電線を凹溝の奥壁に直接接触させないので、防水性に影響を及ぼすことがない。
【００２４】
請求項３記載の発明によれば、複数の段部を電線カバーの中央と左右とに配置して止水性を高めることができる。
【００２５】
請求項４記載の発明によれば、段部を通過してしまった水を鍔部で止めて、電気接続箱内への水の浸入を一層確実に防ぐことができる。
【００２６】
請求項５記載の発明によれば、段部を通過してしまった水を係止突起で止めて、電気接続箱内への水の浸入を一層確実に防ぐことができる。
【００２７】
請求項６〜８記載の発明によれば、両分割カバーを開いて電線を容易に挿通させることができると共に、一方（裏側）の分割カバーに段部や鍔部や係止突起を一括して形成することで、電線カバーの樹脂成型性を高めて電線カバーの低コスト化を図ることができる。
【図面の簡単な説明】
【００２８】
【図１】本発明に係る電気接続箱の電線カバー防水構造で使用する電線カバーの一実施形態を表側から見た斜視図である。
【図２】同じく電線カバーの裏面側を示す図１の矢視Ａ斜視図である。
【図３】電線カバーの防水作用を示す説明図（簡単な要部縦断面図）である。
【図４】接続箱本体に電線カバーを装着する状態を示す分解斜視図である。
【図５】接続箱本体に電線カバーを装着した状態を示す斜視図である。
【図６】図５のＢ−Ｂ断面図である。
【図７】図５のＢ−Ｂ線よりも少し偏心した位置の断面図である。
【図８】図５のＣ−Ｃ断面図である。
【図９】図５のＤ−Ｄ断面図である。
【図１０】（ａ）は従来の電気接続箱の電線カバー構造の一形態を示す斜視図、（ｂ）は水の浸入経路を示す縦断面図である。
【発明を実施するための形態】
【００２９】
図１〜図９は、本発明に係る電気接続箱の電線カバー防水構造の一実施形態を示すものである。
【００３０】
図１の如く、電線カバー（サイドカバー）１は、合成樹脂製の表側の分割カバー２と裏側の分割カバー３とを合体して略筒状に構成されている。表側の分割カバー２は断面略半円状の樋状に形成され、上下左右の各一対の可撓性の係止枠片４と、上側の係止枠片４の両側から外向きに突出した左右一対のスライド板５と、上下の係止枠片４の間で分割端面６に突設された位置決め板７と、下部側の左右のテーパ端で略ヘラ状となったテープ巻き部８とを有している。
【００３１】
裏側の分割カバー３は略矩形樋状に形成され、左右の真直な側壁９の外面の上下左右に、係止枠片４に係合する各一対の係合突起１０を有し、上下の係合突起１０の間で側壁９に、位置決め板７を挿入係合させる内溝（符号７で代用）を有している。
【００３２】
さらに図２（図１の矢視Ａ斜視図）の如く、裏側の分割カバー３は、断面湾曲状の背壁１１と背壁の左右両側に続く平面状の幅狭の壁部３７とを有し、背壁１１の下端に円弧状の段部１２を有し、段部１２よりも上側で背壁１１の左右両側に上下各一対（計四つ）の下側の段部１５ａを成す突壁１５を有している。突壁１５は断面湾曲状の背壁１１の裾部１１ａから両側の壁部３７にかけて背壁１１の幅方向に突出され、突壁１５の頂面１５ｂは背壁１１の頂面１１ｂよりも低く位置している。円弧状の段部１２の左右両側に突壁１５の段部１５ａが位置して段部１２を補助している。各段部の水平ないし略水平な下面（符号１２，１５ａで代用）が止水面として作用する。
【００３３】
さらに裏側の分割カバー３は、段部１２の下側に背壁１１から延長された平板状の可撓性のテープ巻き部１３を有し、上側の左右の突壁１５の間で背壁１１の上部に、後述の電気接続箱本体に対する係止突起１４を有し、係止突起１４の上側で分割カバー３の上端に鍔部１６を有し、鍔部１６の後部中央は係止突起１４の型抜きのために中央で切欠され（切欠部を符号１７で示す）、一方（右側）の鍔部１６の下側に直交してスライドリブ１８を有している。
【００３４】
鍔部１６は分割カバー３の上端の左右と後側に配置され（左右の鍔部を１６ａ、後側の鍔部を１６ｂで示す）、左右の鍔部１６ａの前端はスライド板５の前端位置まで延長されている。裏側の分割カバー３の少なくとも段部１２，１５ａと鍔部１６とが止水用の壁部として作用する。
【００３５】
係止突起１４は水平な板部１４ａと板部１４ａの下側中央に続く幅狭な傾斜状のリブ１４ｂとで構成され、後述の接続箱本体側の係合部に対して板部１４ａの上面が係止面として作用し、傾斜状のリブ１４ｂが摺接ガイド面として作用し、板部１４ａの下面とリブ１４ｂの下面は止水面としても作用する。係止突起１４の型抜き方向を変更して鍔部１６の切欠部１７をなくすことも可能である。
【００３６】
例えば両分割カバー２，３を開いた状態で、図１の如く、複数本の電線１９を電線カバー１の内部空間に挿通し、両分割カバー２，３を閉じて（合体させて）、下部側のテープ巻き部８，１３と電線束１９の外周とに合成樹脂製の片面粘着テープ２０を複数回巻き付けて、電線１９をテープ巻き部８，１３に固定する。電線カバー１の下部開口２１（図２）はテープ巻き２０で塞がれて防水される。
【００３７】
図３の如く、電線カバー１を電気接続箱本体２２にスライド装着した状態で、裏側の分割カバー３の背壁１１の外面が接続箱本体２２の壁部２３の外面に接触ないし近接し、分割カバー３の例えば下側中央の段部１２が止水壁（止水面）として作用し、下から裏側の分割カバー３に沿って跳ね上がる水２４を停止させる（水２４の停止部分を符号２４ａで示す）。
【００３８】
段部１２を通過して背壁１１に沿って上昇した水２４ｂがあっても、上端の鍔部１６やその下側の係止突起１４（図２）が止水壁として作用して、水を停止させる。また、下側の段部１２の左右両側を通過して上昇した水２４ｂは上側の二段（中段と上段）の左右の各段部１５ａによって止水される。
【００３９】
これらによって、接続箱本体２２内への跳ね上げ水２４や高圧洗浄水２４の浸入が防止される。電線１９の本数が少ない場合でも、電線カバー１を二部品化したことで、電線カバー１の下部開口２１（図２）をテープ巻き２０で塞いで、電線１９の本数に関係なく、段部１２，１５ａや鍔部１６で確実に防水（止水）を行うことができる。
【００４０】
少なくとも下側中央の段部１２は電線カバー１に設けずに接続箱本体２２に設けることも可能である。但し、電線カバー１のスライド挿着時にテープ巻き部分２０が接続箱本体２２に設けた段部に干渉する懸念はある。
【００４１】
図４の如く、本例の電気接続箱本体２２は電気接続箱の合成樹脂製のフレームであり、フレーム２２は周方向を囲む側壁（周壁）２５の内側に上下に貫通した内部空間を有し、側壁２５は大きく凹んだ凹壁（外壁）２６を有し、凹壁２６は内側に上下方向に貫通した小さな凹溝２７を有し、凹溝２７に上から下向きに電線カバー１がスライド式に装着される。
【００４２】
凹溝２７の左右の垂直な壁部２８に一対の垂直なガイド溝２９，３０が設けられ、本例で左側のガイド溝２９は前後と左側の上下方向に長い壁部３１で断面逆コの字状に囲まれて上下に貫通して構成され、右側のガイド溝３０は前後と右側の上下方向に短い壁部３２で断面コの字状に囲まれて構成され、下端にストッパ面３０ａを有する。図５の如く、各ガイド溝２９，３０に電線カバー１の左右のスライド板５がスライド係合する。
【００４３】
図４において、凹溝２７の垂直な奥壁３３は幅方向中央に電線カバー１の断面湾曲状の背壁１１（図２）を接触させる断面湾曲状の壁面３３ａを有し、奥壁３３の上端中央に矩形状の切欠部３４が設けられ、切欠部３４の後側の奥壁部に可撓性の係合アーム３５が配設され、係合アーム３５は下端に突起を有し、奥壁３３は中央の湾曲面３３ａの左右両側に略平面状の垂直な壁面３３ｂを有し、切欠部３４の右側において壁面３３ｂに第二のガイド溝３６が設けられている。
【００４４】
図５の電線カバー１の装着状態で、奥壁３３の中央の湾曲状の壁面３３ａに電線カバー１の背壁１１が接触ないし近接すると共に背壁の段部１２が交差して位置し、奥壁３３の左右の壁面３３ｂに背壁１１の左右両側の壁部３７が近接すると共に左右の突壁１５が接触ないし近接して突壁１５の段部１５ａが交差して位置する。
【００４５】
係合アーム３５（図４）の突起（符号３５で代用）に電線カバー１の係止突起１４（図２）が係合し、第二のガイド溝３６に電線カバー１のスライドリブ１８が上方から進入係合する。電線カバー１の上端の鍔部１６は凹溝２７の上端に当接する。図５で電線カバー１の左側の凹溝３８には他の不図示の電線カバーが並列にスライド係合される。なお、スライド板５やスライドリブ１８をフレーム２２側に設け、各ガイド溝２９，３０を電線カバー１に設けることも可能であり、これらスライド部５，１８とガイド部２９，３０の構成は適宜設定可能である。
【００４６】
図４のフレーム２２の内側には下方から上向きに不図示の接続ブロックがスライド式に挿着される。接続ブロックは、電気部品であるヒュージブルリンク（ヒューズ）やリレーやコネクタに対する各装着部と、導電金属製のバスバーと、バスバーに立設されたボルト型端子と、バスバーに設けられた端子ねじ締め用の孔部とを有している。例えばコネクタに接続された相手コネクタからの導出電線１９や、ボルト型端子にねじ締め接続された端子付き電線１９等が電線カバー１内に挿通されて電線カバー１の下部開口２１（図２）から下向きに外部に導出される。
【００４７】
図５において、電線カバー１を装着した状態で、フレーム２２の凹壁２６の左右端の垂直なガイド部３９（左側のガイド部は図示せず）に合成樹脂製の板状の不図示のアウタカバーの左右端のスライド係合部が上から下向きにスライド係合され、凹壁２６内の空間が前側のアウタカバーで閉じられて上下に開口し、上側の開口は合成樹脂製の不図示のアッパカバーをフレーム２２の上部に装着することで閉じられる（アウタカバーの上部はアッパカバーの一部で覆われる）。
【００４８】
凹壁２６の下側の開口は、合成樹脂製のロアカバーをフレーム２２の下部に装着した状態で下方に開口された状態で維持され、電線カバー１から下向きに導出された電線１９が下側の開口を通って外部に導出される。従って下側の開口から上向きに跳ね上げ水や高圧洗浄水がアウタカバー内に浸入するが、上記した電線カバー１の段部１２，１５ａや鍔部１６等でフレーム２２内への水の浸入が防止される。フレーム２２と接続ブロックとアウタカバーとアッパカバーとロアカバーと電線カバー１とで本例の電気接続箱が構成される。
【００４９】
図６（図５の電線カバー１の中央のＢ−Ｂ断面図）の如く、フレーム２２の凹溝２７の奥壁３３に電線カバー１の背壁１１が若干の隙間を存して近接し（奥壁３３に背壁１１が接触していてもよい）、背壁１１の下端の段部１２の水平な下面が下からの水を停止させる。段部１２に続くテープ巻き部１３は奥壁３３に大きな隙間を存して対向して位置する。電線カバー１の係止突起１４は奥壁３３の上部の切欠部３４内に進入して切欠部３４内の係合アーム３５の突起の水平な下面（係止面）に係合し、電線カバー１の上抜けが防止される。係止突起１４の下面は切欠部３４の下端３４ａに当接し、係止突起１４が背壁１１と奥壁３３との間の隙間を上側で封止して、止水作用を行う。係止突起１４の左右両側の上方に止水用の鍔部１６が位置する。
【００５０】
図７（Ｂ−Ｂ断面よりも少し偏心した位置の断面図）の如く、電線カバー１の下側の段部１２の左右上側に中段と上段の段部１５ａが位置し、右側の上段の段部１５ａの上側にスライドリブ１８が一体に位置し、スライドリブ１８はフレーム２２の凹溝２７の第二のガイド溝３６に係合している。スライドリブ１８の上端まで鍔部１６が後方に延長されている。
【００５１】
図８（図５のＣ−Ｃ断面図）の如く、表側（前側）の分割カバー２の左右の側壁４０の内側に裏側（後側）の分割カバー３の左右の側壁９が進入係合し、表側の分割カバー２の左右一対のスライド板５がフレーム２２の凹溝２７内の左右のガイド溝２９，３０にスライド係合し、裏側の分割カバー３の後向きのスライドリブ１８が凹溝２７の奥壁３３側の第二のガイド溝３６に進入係合し、裏側の分割カバー３の係止突起１４の上面に奥壁３３の後方の係合アーム３５の突起が係合している。裏側の分割カバー３の内側には下側の段部１２が径方向に突出し、段部１２の内側上面（符号１２で代用）が露出している。左右のスライド板５の上方から背壁１１の上方にかけて鍔部１６（図示せず）が位置している。電線カバー１内の電線は図示を省略している。
【００５２】
図９（図５のＤ−Ｄ断面図）の如く、電線カバー１の裏側の分割カバー３の断面円弧状（湾曲状）の背壁１１の外面がフレーム２２の凹溝２７の奥壁３３の中央の断面円弧状（湾曲状）の内面３３ａに接触ないし近接する。裏側の分割カバー３の下側の段部１２の下面（外面）が奥壁３３に沿って下から上に浸入する水に対する止水面として作用する。
【００５３】
なお、上記実施形態においては、フレーム２２と接続ブロックとアウタカバーとアッパカバーとロアカバーと電線カバー（サイドカバー）１とで電気接続箱を構成したが、例えば、フレーム２２を用いずに、ロアカバー（メインカバー）とアッパカバーとロアカバー内の電気部品やバスバー等を備える電気接続箱において、ロアカバーの側壁に凹壁２６を一体に設け、凹壁２６内に凹溝２７を設け、凹溝２７内に電線カバー１をスライド装着し、凹壁２６をアウタカバーで覆い、アウタカバーの上部をアッパカバーで覆うことも可能である。また、フレーム２２やロアカバーの側壁に凹溝２７を直接設け、アウタカバーを用いずに、アッパカバーで電線カバー１の上部を直接覆うようにすることも可能である。何れの場合もロアカバーは電線カバー１の下部を覆わないで露出させる。
【００５４】
また、上記実施形態においては、電線カバー１を表側の分割カバー２と裏側の分割カバー３とで構成したが、電線（端子付き電線）１９の挿通作業が容易である場合（端子がＬ字端子や幅広端子でない場合）には、電線カバー１を分割せずに筒状に一体樹脂成型することも可能である。
【００５５】
また、上記実施形態においては、鍔部１６の下側に係止突起１４を設けたが、係止突起１４等の係止部を他の場所に設けて、鍔部１６の中間の切欠部１７をなくして鍔部１６を周方向に連続させることも可能である。また、水の掛かりの少ない部位においては、鍔部１６を設けずに、段部１２のみ又は段部１２，１５ａのみで止水させることも可能である。
【００５６】
また、上記実施形態においては、電線カバー１に段部１２を設けた例で説明したが、電線カバー１ではなく接続箱本体（フレーム）２２の凹溝２７の奥壁３３に同様の水平ないし略水平の下面を有する段部（１２）を設けることも可能である。この場合でも、電線カバー１には上端の鍔部１６や鍔部１６の下側（必ずしも下側に限らない）の係止突起１４を設ける。
【産業上の利用可能性】
【００５７】
本発明に係る電気接続箱の電線カバー防水構造は、自動車等に搭載される電気接続箱から導出される例えば少数本の電線を電線カバー（サイドカバー）で覆って保護しつつ、防水パッキン等を用いずに、電線カバーのみで簡単且つ低コストに、電線を下から上に伝って電気接続箱内に浸入する水を阻止して、電気接続箱内を錆や接触不良等から安全に保護するために利用することができる。
【符号の説明】
【００５８】
１            電線カバー
２            表側の分割カバー
３            裏側の分割カバー
１１          背壁
１２，１５ａ  段部
１３          テープ巻き部
１４          係止突起
１６          鍔部
１９          電線
２２          フレーム（接続箱本体）
２６          凹壁（外壁）
２７          凹溝
【図１】
0005800556.tif 000002
【図２】
0005800556.tif 000003
【図３】
0005800556.tif 000004
【図４】
0005800556.tif 000005
【図５】
0005800556.tif 000006
【図６】
0005800556.tif 000007
【図７】
0005800556.tif 000008
【図８】
0005800556.tif 000009
【図９】
0005800556.tif 000010
【図１０】
0005800556.tif 000011